(57)【要約】【課題】運転者にとって煩わしくなくて安全運転に専念できる道路交通情報の受信装置を提供する。【解決手段】対象電波を受信する受信器１７０と、道路交通情報を報知する報知部１９２と、受信器１２０が対象電波を受信したとき報知部１９２に報知させる制御を行うＣＰＵ１３０と、自動車の現在位置と走行方向を演算するＧＰＳモジュール１２０と、取締機の設置位置と取締機の検出車線と制限速度とを登録している位置登録データメモリ１５０とを有し、受信器１７０が対象電波を受信したとき、ＧＰＳモジュール１２０から受信した現在位置および走行方向データと位置登録データメモリ１５０から得た現在位置に存在するスピード違反取締機の検出車線情報とを比較し、走行方向データの走行方向と検出車線情報の検出車線とが一致するとき報知部に報知させ、不一致のときは制限速度を超えているとき報知させ、制限速度以下のときは報知させないようにした。【選択図】 図１
2007257457.tif 000002
【特許請求の範囲】
【請求項１】
スピード違反取締機から発する電波を受信する受信器と、運転者に道路交通情報を聴覚的または視覚的に運転者に報知する報知部と、前記受信器が対象電波を受信したとき前記報知部に報知させる制御を行うＣＰＵと、を備えた道路交通情報の受信装置において、
さらに、自動車の現在位置と前記自動車の走行方向を演算するＧＰＳモジュールと、前記スピード違反取締機の設置位置と該スピード違反取締機の検出車線と各位置の制限速度とを登録している位置登録データメモリとを有し、
前記受信器が対象電波を受信したとき、前記ＣＰＵが、前記ＧＰＳモジュールから受信した自動車の現在位置および走行方向データと前記位置登録データメモリから得た前記現在位置に存在するスピード違反取締機の検出車線情報とを比較し、前記走行方向データの走行方向と前記検出車線情報の検出車線とが一致するとき前記報知部に報知させ、不一致のときは制限速度を超えているとき報知させ、制限速度以下のときは報知させない制御を行うことを特徴とする道路交通情報の受信装置。
【請求項２】
前記走行方向データの走行方向と前記検出車線情報の検出車線とが一致する場合は、制限速度を超えているときの報知と制限速度以下のときの報知とを異ならせたことを特徴とする請求項１記載の道路交通情報の受信装置。
【請求項３】
前記制限速度を超えているときの報知は、スピードを落とすように促す内容の報知であることを特徴とする請求項１または２記載の道路交通情報の受信装置。
【発明の詳細な説明】
【技術分野】
【０００１】
本発明は、自動車の速度違反を監視するための監視電波を受信してその旨を自動車の運転手に報知して速度遵守を促す機能を備えた道路交通情報の受信装置に関する。
【背景技術】
【０００２】
従来の道路交通情報の受信装置には、自動車の速度違反を監視するための各種監視ポイントの接近を、自動車の運転手に報知する機能を備えたものがある（例えば、特許文献１参照）。
【０００３】
【特許文献１】特開平９−３１８３７１号公報
【０００４】
特許文献１記載の装置によれば、運転手は、走行地点毎に定められている制限速度に、走行中、変化があったことに気付かず、自車が、制限速度オーバーをしたままに不用意に走行を続けることがあり、このような場合に、不幸にして不測の事故を引き起こしてしまうことが多いが、かかる事故の発生を未然に防止するものである。
【０００５】
図３は特許文献１記載の車載用ナビゲーション装置の基本構成を示すブロック図である。この車載用ナビゲーション装置３００には、ＧＰＳ衛星からの電波を受信してＧＰＳ測位データを出力するＧＰＳレシーバ３０１が備えられ、ＧＰＳレシーバ３０１からの測位データに基づいてナビゲーション装置全体の制御を行うシステムコントローラ３０４と、各種データを入力するための入力手段としてのキーボード３０５と、システムコントローラ３０４の制御下でＣＤ−ＲＯＭディスク３０６から地図データおよび現在地点に存在する各種道路交通情報を読み出し、これを出力するＣＤ−ＲＯＭドライブ装置３０７と、システムコントローラ３０４の制御下で各種表示データを表示する表示手段としての表示ユニット３０８と、システムコントローラ３０４の制御下で各種音声データを再生して出力する音声再生手段としての音声再生ユニット３０９より構成されている。
【０００６】
上記の各種監視ポイントは、一般にはオービス（通称：ネズミ捕り機）と呼ばれ、これには固定式のものと移動式のものとが含まれる。固定式のものには、レーダー式のものや、速度計測機（計測用カメラ）と速度警告板を備えたものがある。
また、計測センサーとしてカメラとループセンサーを備えたループコイル式のものがある。また、次世代型として、走行車両をデジタルカメラで撮影した時の写真画像のブレ等から車速を割り出す「ＮＨシステム」と呼ばれるものが検討されている。なお、レーダー式のものには、瞬間しかレーダー波（レーダ波）を照射しないステルス型と呼ばれるものがある。
さらに、光電管式や赤外線式の計測センサーを使用し、車が一定区間を通過する時間を計測して車速を割り出すものがある。
また、レーダー式の取締機からの電波を受信する受信器を搭載して、対象電波を受信したときに、これを報知するようにしている。
【０００７】
図４はスピード違反取締機からの電波を受信してこれを報知する受信装置の動作フローチャートを示している。
受信装置をスタートさせると、ステップ４１でスピード違反取締機からの電波を受信したかどうか調べ、受信したら報知させていた。
【発明の開示】
【発明が解決しようとする課題】
【０００８】
しかしながら、スピード違反取締機を検出する従来の受信装置１では、スピード違反取締機は道路の車線を走行する自動車を対象にしているので、上り車線の自動車の場合は上り車線の方向に向け、下り車線の場合は下り車線の方向に向けて電波を発振している。そして、自動車からの反射電波を受信することで自動車の速度を測定しているのであるが、しかしながら電波は反射・回折する特性があるので、道路の環境によっては上り車線方向に向けて発振した電波であっても反射・回折によって下り車線に達し、その電波を下り車線の自動車が受信することがおき、受信した自動車において警報が発せられることが生じた。このように、従来の受信装置には無駄な警報が行われたので、運転者にはとても煩わしかった。
そこで、この煩わしさを解消するため、従来の受信装置２では、自動車の走行方向とスピード違反取締機の設置位置データの方向が一致した場合には報知するが、一致しない（すなわち、対向車線の）場合は、報知しないようにしていた。
【０００９】
図４は従来の受信装置２の動作フローを説明する図で、受信装置が動作開始すると、主制御部（ＣＰＵ）１３０（図１）は、ＧＰＳモジュール１２０から常に現在位置と自動車の走行方向（上り車線／下り車線）のデータを受け取り（ステップ４１）、ステップ４２で、スピード違反取締機からの電波を受信したかどうか調べ、対象電波を受信したら、主制御部（ＣＰＵ）１３０は位置登録データメモリ１５０からそのスピード違反取締機の検出車線情報を得る（ステップ４３）。
この検出車線情報とＧＰＳモジュール１２０から得た自動車走行方向とを比較し（ステップ４４）、走行方向データの走行方向と検出車線情報の検出車線とが一致したとき報知し（ステップ４５）、また一致しないとき（すなわち、対向車線のとき）報知せずにステップ４１へ戻る。
このように、自動車の走行方向とスピード違反取締機の設置位置データの方向が一致した場合には報知するが、一致しない場合は、報知しないようにしていた。
【００１０】
ところが、スピード違反取締機がなくても制限速度以上で走行しているとやはり危険なことに変わりはないので、対象電波を受信したら、制限速度以上で走行していた場合は同じく報知するようにし、制限速度以下で走行していた場合にのみ報知しないようにして、運転者に優しい報知を行うようにすることが望まれるようになった。
【００１１】
本発明は、かかる要望に答えるためになされたもので、反対（対向）車線に向けられた対象電波を受信しても、制限速度以上で走行していた場合は報知するようにし、制限速度以下で走行していた場合にのみ報知しないようにできる受信装置を提供することを目的としている。
【課題を解決するための手段】
【００１２】
上記目的を達成するため、請求項１記載の発明は、道路交通情報の受信装置に係り、スピード違反取締機から発する電波を受信する受信器と、運転者に道路交通情報を聴覚的または視覚的に運転者に報知する報知部と、前記受信器が対象電波を受信したとき前記報知部に報知させる制御を行うＣＰＵと、を備えた道路交通情報の受信装置において、さらに、自動車の現在位置と前記自動車の走行方向を演算するＧＰＳモジュールと、前記スピード違反取締機の設置位置と該スピード違反取締機の検出車線と各位置の制限速度とを登録している位置登録データメモリとを有し、前記受信器が対象電波を受信したとき、前記ＣＰＵが、前記ＧＰＳモジュールから受信した自動車の現在位置および走行方向データと前記位置登録データメモリから得た前記現在位置に存在するスピード違反取締機の検出車線情報とを比較し、前記走行方向データの走行方向と前記検出車線情報の検出車線とが一致するとき前記報知部に報知させ、不一致のときは制限速度を超えているとき報知させ、制限速度以下のときは報知させない制御を行うことを特徴としている。
請求項２記載の発明は、請求項１記載の道路交通情報の受信装置において、前記走行方向データの走行方向と前記検出車線情報の検出車線とが一致する場合は、制限速度を超えているときの報知と制限速度以下のときの報知とを異ならせたことを特徴としている。
請求項３記載の発明は、請求項１または２記載の道路交通情報の受信装置において、前記走行方向データの走行方向と前記検出車線情報の検出車線とが一致する場合であって制限速度を超えているときの報知は、スピードを落とすように促す内容の報知であることを特徴と前記制限速度を超えているときの報知がスピードを落とすように促す内容の報知であることを特徴としている。
【発明の効果】
【００１３】
以上の構成により、反対（対向）車線に向けられたスピード違反検知用の対象電波を受信しても、制限速度以上で走行していた場合は報知するようにし、制限速度以下で走行していた場合にのみ報知しないようにして、運転者に優しい受信装置を得ることができる。
また、制限速度を超えているときの報知はスピードを落とすように促すので、運転者はスピードを落とす切っ掛けが与えられ、運転者に優しい受信装置となる。
【発明を実施するための最良の形態】
【００１４】
以下、本発明について、図面を参考に説明する。
図１は本発明に係る道路交通情報の受信装置のブロック図である。
図において、１００は本発明に係る受信装置、１１０はソーラバッテリー、１１１は電源制御部、１１２は自動車のエンジンで発電機を回転させて発電した電気エネルギを充電する充電式電池である。１２０はＧＰＳモジュールで、ＧＰＳ受信器１２１と位置検出／速度演算部１２２から成り、ＧＰＳ受信器１２１の受信信号が位置検出／速度演算部１２２で処理されて、その結果を距離・位置・速度データ受信部１３０に送信する。主制御部（ＣＰＵ）１３０では、距離・位置・速度データ受信部１４０と、演算部および位置・登録データメモリ１５０が信号の授受を行なっている。
位置・登録データメモリ１５０の内容としては、（１）緯度・経度、（２）報知をしなければならないエリア情報（扇形のエリア）、（３）制限速度、検出車線情報等を記憶している。「スピード違反取締機が近くにある」ということを判断するために、各位置データについて上記の内容が含まれており、後述するように、位置データと自分の走行状態の情報（ＧＰＳからの情報）とを比較し、合致した場合近くである（報知するもの）と判断したら、報知をする、合致しない場合にはもちろん報知しない。
ここで言う「道路交通情報」とは、上述のスピード違反取締機（オービス）として、固定式のレーダー式、速度計測機（計測用カメラ）、速度警告板、計測センサーとしてカメラとループセンサーを備えたループコイル式のもの、「ＮＨシステム」、ステルス型、光電管式や赤外線式の計測センサーを使用して車が一定区間を通過する時間を計測して車速を割り出すもの、移動式のものにはパトロールカーの屋根に積載されるレーダー式の取締り機等の信号および設置位置を示す情報を言う。
また、「検出車線情報」とは、スピード違反取締機（オービス）である固定式のレーダー発振器が発信しかつ受信する対象の自動車が走行する車線を言う。
【００１５】
Ｘ・Ｋバンドのレーダー受信部１６０としての高周波受信器１６１からの受信信号を信号処理部１６１ａで処理して主制御部１３０に入力している。
【００１６】
また、無線受信部１７０として、３５０ＭＨｚ高周波受信器１７１からの受信信号を信号レベル検出・検波器１７１ａへ送り、所定の信号レベルのものを検波して主制御部１３０に入力している。
また、４０７ＭＨｚ高周波受信器１７２の受信した信号を信号レベル検出器１７２ａで検出して所定の信号レベル以上のものを主制御部１３０に入力している。
同じく、１６０ＭＨｚ帯高周波受信器１７３の受信した信号を信号レベル検出器７３ａで検出して所定の信号レベル以上のものを主制御部１３０に入力している。
【００１７】
また、赤外線検知部１８０として赤外線受信部１８１があり、ここで受信した赤外線信号を主制御部３０に入力している。
【００１８】
主制御部１３０は、聴覚的警報信号をアナウンス・音声出力部１９１へ出力し、スピーカ１９２で知らせる。また、視覚的警報信号をワーニングランプ・設定状態ＬＥＤ表示部１９３へ出力する。
【００１９】
次に、図１の受信装置の動作について図２のフローチャートを用いて説明する。
受信装置が動作開始すると、主制御部（ＣＰＵ）１３０（図１）は、ＧＰＳモジュール１２０から常に現在位置と自動車の走行方向（上り車線／下り車線）のデータを受け取り（ステップ２１）、ステップ２２で、スピード違反取締機からの電波を受信したかどうか調べる（なお、図ではステップ２２とステップ２１の後となっているが、ステップ２１と入れ替わって先になったもよい。）、対象電波を受信しなければステップ２１へ戻る。一方、対象電波を受信したら、主制御部（ＣＰＵ）１３０は位置登録データメモリ１５０からそのスピード違反取締機の検出車線情報（同一車線か対向車線か）とその位置の制限速度情報を得る（ステップ２３）。
この検出車線情報とＧＰＳモジュール１２０から得た自動車走行方向とを比較し（ステップ２４）、走行方向データの走行方向と検出車線情報の検出車線とが一致しないとき（すなわち、対向車線のとき）ステップ２５へ行く。
一方、検出車線情報の検出車線とが一致するとき、ステップ２６へ行く。
ステップ２５では、制限速度を超えて走行しているか調べ、制限速度を超えて走行していない場合は報知せずに（ステップ２５１）、ステップ２１へ戻り、制限速度を超えて走行していた場合はパターン３で報知する（ステップ２５２）。
一方、ステップ２６でも同じく制限速度を超えて走行しているか調べ、制限速度を超えて走行していた場合はパターン２で報知し（ステップ２６１）、制限速度を超えて走行していない場合はパターン１で報知する（ステップ２６２）。
報知が終了したら、ステップ２１へ戻る。
【００２０】
ステップ２５２のパターン３の報知は、例えば、
（１）ＳＴＥＰ１：「１キロ先、対向車線にＬＨシステムあり、制限速度は６０キロ以下です。危険です、スピード落として。」と報知する。
【００２１】
ステップ２４でＹｅｓ（すなわち、走行方向と位置データとが一致した）の場合には、制限速度に関係なく報知を行なって運転者にその情報提供を行うようにしている。ただし、その報知内容は、（イ）制限速度以下の時と、（ロ）超えている時とではアナウンスを変えるようにしている。
そこで、ステップ２６１では、制限速度以下の時の１例として、通常に情報提供した場合、下記の通り３ステップでアナウンスをする。
（１）ＳＴＥＰ１：「１キロ先、ＬＨシステムに注意、制限速度は６０キロ以下です。」
（２）ＳＴＥＰ２：「５００メートル先、ＬＨシステムに注意してください。」
（３）ＳＴＥＰ３：「カメラは正面です。通過速度は５０キロ以下です。」
【００２２】
また、ステップ２６２での制限速度を超えている時は、例えば、ステップ１のみ、
（１）ＳＴＥＰ１：「１キロ先、LHシステムに注意、制限速度は６０キロ以下です。危険です、スピード落として。」
というようにスピードダウンを促す内容の報知をする。
【００２３】
このようにすることにより、運転者に優しい状況に応じた報知を行うようにできると共に、スピード違反を回避することができる。
【００２４】
また、技術の進歩により、対向で取締を行っていた場合であっても制限速度以上で走行している車が摘発されるということも最近生じているが、本発明により安全運転を運転者に促すことで、このような場合にも役立つこととなる。
【００２５】
このように、本発明によれば、反対（対向）車線に向けられたスピード違反検知用の電波を受信した場合は受信制限速度を超えて走行していたとき報知し、制限速度以下で走行していた場合に報知しないようにしたので、運転者にとって安全運転に専念でき、交通事故の予防にも寄与することができる。
【図面の簡単な説明】
【００２６】
【図１】本発明に係る道路交通情報の受信装置のブロック図である。
【図２】本発明に係る受信装置の動作を説明するフローチャートである。
【図３】従来の道路交通情報の受信装置のブロック図である。
【図４】従来の受信装置の動作を説明するフローチャートである。
【符号の説明】
【００２７】
１００  本発明に係る受信装置
１１０  ソーラバッテリー
１１１  電源制御部
１１２  充電式電池
１２０  ＧＰＳモジュール
１２１  ＧＰＳ受信器
１２２  位置検出／速度演算部
１３０  主制御部（ＣＰＵ）
１３０  距離・位置・速度データ受信部
１５０  位置・登録データメモリ
１６０  Ｘ・Ｋバンドのレーダー受信部
１６１  高周波受信器
１６１ａ  信号処理部
１７０  無線受信部
１７１  ３５０ＭＨｚ高周波受信器
１７１ａ  信号レベル検出・検波器
１７２  ３０７ＭＨｚ高周波受信器
１７２ａ  信号レベル検出器
１７３  １６０ＭＨｚ帯高周波受信器
１７３ａ  信号レベル検出器
１８０  赤外線検知部
１８１  赤外線受信部
１９１  アナウンス・音声出力部
１９２  スピーカ
１９３  ワーニングランプ・設定状態ＬＥＤ表示部
【図１】
2007257457.tif 000003
【図２】
2007257457.tif 000004
【図３】
2007257457.tif 000005
【図４】
2007257457.tif 000006